【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
ゲインを増幅状態から減衰状態の範囲で任意の値に切り替えることが可能なＲＦ増幅器と、該ＲＦ増幅器にゲイン制御電圧を印加する制御回路２０とを含み、前記制御回路２０は、送信部が発振している時間およびその前後の時間を含む期間のみＲＦ増幅器のゲインを減衰状態にし、それ以外の期間では増幅状態にするように、前記ＲＦ増幅器に印加するゲイン制御電圧を制御することを特徴とするマイクロ波周波数変換器。
【請求項２】
前記制御回路２０は、前記ゲイン制御電圧を連続的に変化させることで、ＲＦ増幅器のゲインを、増幅状態の所定のゲイン値から減衰状態の所定のゲイン値、または減衰状態の所定のゲイン値から増幅状態の所定のゲイン値に、連続的に切り替えることを特徴とする請求項１記載のマイクロ波周波数変換器。
【請求項３】
前記制御回路２０は、前記ゲイン制御電圧を瞬時に変化させることで、ＲＦ増幅器のゲインを、増幅状態の所定のゲイン値から減衰状態の所定のゲイン値、または減衰状態の所定のゲイン値から増幅状態の所定のゲイン値に、瞬時に切り替えることを特徴とする請求項１記載のマイクロ波周波数変換器。
【請求項４】
前記ＲＦ増幅器は、ゲートに負電圧、ドレインに正電圧を印加して動作するＦＥＴ素子またはＨＥＭＴ素子を用い、前記制御回路２０は、前記素子のゲートおよびドレインに印加されるゲート電圧とドレイン電圧を同時にＯＮ／ＯＦＦし、ＯＮにしたときにはＲＦ増幅器のゲインを減衰状態にし、ＯＦＦにしたときにはＲＦ増幅器のゲインを増幅状態にするように切り替えることを特徴とする請求項３記載のマイクロ波周波数変換器。
【手続補正２】
【補正対象書類名】明細書
【補正対象項目名】００１６
【補正方法】変更
【補正の内容】
【００１６】
本発明のマイクロ波周波数変換器のうち請求項１に係るものは、上記目的を達成するために、ゲインを増幅状態から減衰状態の範囲で任意の値に切り替えることが可能なＲＦ増幅器と、該ＲＦ増幅器にゲイン制御電圧を印加する制御回路２０とを含み、前記制御回路２０は、送信部が発振している時間およびその前後の時間を含む期間のみＲＦ増幅器のゲインを減衰状態にし、それ以外の期間では増幅状態にするように、前記ＲＦ増幅器に印加するゲイン制御電圧を制御することを特徴とする。
【手続補正３】
【補正対象書類名】明細書
【補正対象項目名】００１７
【補正方法】変更
【補正の内容】
【００１７】
また本発明のマイクロ波周波数変換器のうち請求項２に係るものは、上記目的を達成するために、制御回路２０は、前記ゲイン制御電圧を連続的に変化させることで、ＲＦ増幅器のゲインを、増幅状態の所定のゲイン値から減衰状態の所定のゲイン値、または減衰状態の所定のゲイン値から増幅状態の所定のゲイン値に、連続的に切り替えることを特徴とする。
【手続補正４】
【補正対象書類名】明細書
【補正対象項目名】００１８
【補正方法】変更
【補正の内容】
【００１８】
また本発明のマイクロ波周波数変換器のうち請求項３に係るものは、上記目的を達成するために、制御回路２０は、前記ゲイン制御電圧を瞬時に変化させることで、ＲＦ増幅器のゲインを、増幅状態の所定のゲイン値から減衰状態の所定のゲイン値、または減衰状態の所定のゲイン値から増幅状態の所定のゲイン値に、瞬時に切り替えることを特徴とする。
【手続補正５】
【補正対象書類名】明細書
【補正対象項目名】００１９
【補正方法】変更
【補正の内容】
【００１９】
また本発明のマイクロ波周波数変換器のうち請求項４に係るものは、上記目的を達成するために、ＲＦ増幅器は、ゲートに負電圧、ドレインに正電圧を印加して動作するＦＥＴ素子またはＨＥＭＴ素子を用い、前記制御回路２０は、前記素子のゲートおよびドレインに印加されるゲート電圧とドレイン電圧を同時にＯＮ／ＯＦＦし、ＯＮにしたときにはＲＦ増幅器のゲインを減衰状態にし、ＯＦＦにしたときにはＲＦ増幅器のゲインを増幅状態にするように切り替えることを特徴とする。
【手続補正６】
【補正対象書類名】明細書
【補正対象項目名】００２３
【補正方法】変更
【補正の内容】
【００２３】
図１は、本発明に係るマイクロ波周波数変換器の回路構成図である。本実施形態のマイクロ波周波数変換器は、外部からマグネトロン出力に同期し、マグネトロンが出力する時間を含むトリガ電圧を必要とし、トリガ電圧が制御回路２０に入力すると、その入力に応じて、ゲイン制御電圧を制御する構成である。
【手続補正７】
【補正対象書類名】明細書
【補正対象項目名】００２４
【補正方法】変更
【補正の内容】
【００２４】
１９は、トリガ電圧を入力する入力端子、２０は制御回路であり、トリガ入力端子１９から入力されるトリガ信号により動作し、電源回路から供給されるゲイン制御電圧を制御する。２１はパルス変調したマイクロ波信号（ＲＦ信号）を増幅するＲＦ増幅器であり、その電源は制御回路２０により制御される。１４は局部発振器であり、電源回路により駆動され、局発信号を発振する。１３はダブルバランスミキサであり、前述の局発信号と、ＲＦ増幅器１２で増幅されたマイクロ波信号（ＲＦ信号）を混合する。そこで混合され出力される２つのＩＦ出力を合成するのが１５のＩＦ出力合成器であり、ＩＦ出力端子１６に合成出力を得る。
【手続補正８】
【補正対象書類名】明細書
【補正対象項目名】００２５
【補正方法】変更
【補正の内容】
【００２５】
図１に従って本実施形態の動作原理を説明する。本実施形態のマイクロ波周波数変換器は、ＭＩＣリミッタを除いて記載してある。マグネトロンから直接のパルス変調されたマイクロ波信号（ＲＦ信号）が入力端子１８に入力する直前にトリガ（パルス）電圧をトリガ入力端子１９に印加する。トリガ電圧によって制御回路２０を動作させ電源回路から供給されるゲイン制御電圧、すなわちゲート電圧とドレイン電圧を同時に０Ｖにすることにより、ＲＦ増幅器２１の電圧を遮断する。このことにより、ＲＦ増幅器２１に使用しているＦＥＴはミキサ１３の前段に一種の抵抗減衰器が接続されたと同じ特性を示す。すなわち、図８の（Ｂ）のＲＦ増幅器無しの周波数変換器の前段に減衰器が接続されＲＦ増幅器無しの図８の（Ｂ）の入出力特性より１０数ｄＢ減衰した入出力特性を示すことになる。
【手続補正９】
【補正対象書類名】明細書
【補正対象項目名】００３０
【補正方法】変更
【補正の内容】
【００３０】
図３に、本発明のマイクロ波周波数変換器について、トリガ電圧をＯＮ−ＯＦＦした時（そのトリガ入力を受けた制御回路２０が、ゲイン制御電圧を瞬時に変化させた時）のＲＦ入力電力に対するＩＦ出力電力の実測結果を示す。
【手続補正１０】
【補正対象書類名】明細書
【補正対象項目名】００３４
【補正方法】変更
【補正の内容】
【００３４】
図１に示した制御回路２０の一実施例を図４に示す。
【手続補正１１】
【補正対象書類名】明細書
【補正対象項目名】００４１
【補正方法】変更
【補正の内容】
【００４１】
図４に示した制御回路２０は、本発明の周波数変換器に使用する回路の一実施例であり、他の回路構成であっても本発明の条件は満足する。
【手続補正１２】
【補正対象書類名】明細書
【補正対象項目名】００４２
【補正方法】変更
【補正の内容】
【００４２】
なお、これまでは図４に示した制御回路２０のトリガ電圧をＯＮ−ＯＦＦすることで、制御回路２０がゲイン制御電圧を瞬時に切り替える例を挙げてきたが、同トリガ電圧を徐々に可変することで、制御回路２０がゲイン制御電圧を連続的に切り替える場合には、図３のトリガＯＮとトリガＯＦＦの間の連続した特性も得られる。
【手続補正１３】
【補正対象書類名】明細書
【補正対象項目名】００４３
【補正方法】変更
【補正の内容】
【００４３】
図５は、本発明の周波数変換器に−１０ｄＢｍ一定のＲＦ入力電力を入力し、図４の回路のトリガ電圧を０Ｖから５Ｖまで連続的に変化させた（制御回路２０がゲイン制御電圧を連続的に切り替える）時のゲインの実測値である。
【手続補正１４】
【補正対象書類名】明細書
【補正対象項目名】００４７
【補正方法】変更
【補正の内容】
【００４７】
【図１】本発明に係るマイクロ波周波数変換器の一実施形態の回路構成を示すブロック回路図である。
【図２】本発明に係るマイクロ波周波数変換器のタイミングチャートである。
【図３】本発明のマイクロ波周波数変換器について、トリガ電圧をＯＮ−ＯＦＦした時のＲＦ入力電力に対するＩＦ出力電力の実測結果である。
【図４】本発明のマイクロ波周波数変換器に使用する制御回路２０の一実施例である。
【図５】本発明に係るマイクロ波周波数変換器のトリガ電圧に対するゲインの実測値である。
【図６】従来のパルスレーダの構成を示すブロック回路図である。
【図７】従来のマイクロ波周波数変換器の回路構成を示すブロック回路図である。
【図８】（Ａ）従来のＲＦ増幅器有り、（Ｂ）従来のＲＦ増幅器無しのマイクロ波周波数変換器の入出力特性を示すグラフである。
【図９】従来のマイクロ波周波数変換器の構成を示すブロック回路図である。
【手続補正１５】
【補正対象書類名】明細書
【補正対象項目名】００４８
【補正方法】変更
【補正の内容】
【００４８】
１−マグネトロン
２−サーキュレータ
３−アンテナ
４−リミッタ
５−周波数変換器
６−局部発振器
７−ＩＦ増幅器
８−信号処理回路
９−レーダ表示装置（ＰＰＩ）
１０−リミッタ
１１−リミッタの入力端子
１２−ＲＦ増幅器
１３−ダブルバランスミキサ
１４−局部発振器
１５−ＩＦ出力合成器
１６−ＩＦ出力端子
１７−ＰＩＮスイッチ
１８−ＲＦ入力
１９−トリガ入力
２０−制御回路
２１−ＲＦ増幅器
２５−ＦＥＴ
２６−オペアンプ
Ｒ１、Ｒ２、Ｒ３、Ｒ４−抵抗
【手続補正１６】
【補正対象書類名】図面
【補正対象項目名】図１
【補正方法】変更
【補正の内容】
【図１】
2005197774.tif 000001